(57)【要約】【課題】操作メニュー表示装置において、使用者に対して、操作ノブ１や表示部３０を視ずに、操作ノブ１を回転操作して、基準アイコンをカーソル３１によって選択させることを可能にする。【解決手段】操作ノブ１に振動を与える直流モータ６を備え、制御部２０が、、操作ノブ１への操作に基づきカーソル３１により各アイコンのうち予め基準として決められている基準アイコンを選択させた場合には、操作ノブ１を振動させるように直流モータ６を制御する。これにより、操作ノブ１を回転操作させてカーソル３１により基準アイコンを選択させた場合には、操作ノブ１が振動するので、使用者に対して、カーソル３１が基準アイコンを選択していることを認識させることができる。【選択図】        図７
2004227387.tif 000002
【特許請求の範囲】
【請求項１】
表示部と、
使用者により操作される操作部とを有し、
各選択項目をそれぞれ示す各アイコンを含む操作メニューを前記表示部に表示させるとともに、この表示させる操作メニュー上にてカーソルを表示させ、かつ、前記操作部への操作に基づき、前記各アイコンのうちいずれかのアイコンを前記カーソルにより選択させる選択表示手段と、を有する操作メニュー表示装置であって、
前記操作部に振動を与える振動付与部と、
前記操作部への操作に基づき前記カーソルにより前記各アイコンのうち予め基準として決められている基準アイコンを選択させた場合には、前記操作部を振動させるように前記振動付与部を制御する振動制御手段と、を有することを特徴とする操作メニュー表示装置。
【請求項２】
音を出力する音出力手段と、
前記操作部への操作に基づき、前記カーソルにより前記基準アイコンを選択させた場合には、前記音を出力させるように前記音出力手段を制御する音出力制御手段と、を有することを特徴とする請求項１に記載の操作メニュー表示装置。
【請求項３】
表示部と、
使用者により操作される操作部とを有し、
各選択項目をそれぞれ示す各アイコンを含む操作メニューを前記表示部に表示させるとともに、この表示させる操作メニュー上にてカーソルを表示させ、かつ、前記操作部への操作に基づき、前記各アイコンのうちいずれかのアイコンを前記カーソルにより選択させる選択表示手段と、を有する操作メニュー表示装置であって、
音を出力する音出力手段と、
前記操作部への操作に基づき、前記操作部への操作に基づき前記カーソルにより前記各アイコンのうち予め基準として決められている基準アイコンを選択させた場合には、前記音を出力させるように前記音出力手段を制御する音出力制御手段と、を有することを特徴とする操作メニュー表示装置。
【請求項４】
前記表示部による操作メニューの表示を開始させる毎に、この表示される操作メニューに含まれる各アイコンのうち前記基準アイコンを前記カーソルにより自動的に選択させるようにする初期表示制御手段を有することを特徴とする請求項１〜３のいずれか１つに記載の操作メニュー表示装置。
【発明の詳細な説明】
【０００１】
【発明の属する技術分野】
本発明は、表示部により操作メニューの表示により希望の選択項目を選択させるための操作メニュー表示装置に関する。
【０００２】
【従来の技術および発明が解決しようとする課題】
従来、オーディオ装置、空調装置などの車載機器の各選択項目をそれぞれ示す各アイコンを含む操作メニューを表示パネルに表示させ、かつ、操作ダイヤルへの回転操作に基づき、各アイコンのうちいずれかのアイコンを選択させるようにする車載機器操作装置が実現されている。
【０００３】
具体的には、オーディオ装置としてのＡＭラジオの操作メニューとして、図８に示すように××第１放送、××第２放送、△△ラジオなどの選択項目を示すアイコンＡ１〜Ａ５を含むメニューを表示パネル３０に表示させる場合、この表示メニュー上に枠状のカーソル３１を表示させ、さらに操作ダイヤルを時計回りに７２度ずつ回転させた毎に、××第１放送→××第２放送→○△放送→○○ラジオ→△△ラジオ→…の順でカーソル３１を移動させてこのカーソル３１により希望の放送局を示すアイコンを選択させるようにする。
【０００４】
このような装置において、車両の安全運転を行うために使用者の視線を車両前方に向けたまま、操作ダイヤルを操作して、カーソルにより希望の放送局を示すアイコンを選択させるようにすることが望まれている。
【０００５】
例えば、使用者が、カーソルにより選択されているアイコンを予め認識しつつ、この選択されているアイコンから希望のアイコンまでカーソルを移動させるのに必要な操作ダイヤルの操作量を認識しておれば、使用者が操作ダイヤルや表示パネルの表示を視ずに、カーソルにより希望のアイコンを選択することが可能である。
【０００６】
しかし、使用者が、カーソルにより選択されているアイコンを予め認識していなければ、操作ダイヤルや表示パネルの表示メニューを視ずに、操作ダイヤルを操作して、カーソルにより希望の放送局を示すアイコンを選択させるようにすることが不可能である。
【０００７】
そこで、本発明者の検討によれば、操作ダイヤルや表示パネルの表示メニューを視ずに、カーソルにより希望の放送局を示すアイコンを選択させるには、基準となるアイコン（以下、基準アイコンという）を予め決めおき、この基準アイコンから希望のアイコンまでカーソルを移動させるのに必要な操作ダイヤルの操作量を覚えておく必要があると考えた。
【０００８】
これに加えて、使用者にとって、カーソルが、現在、いずれのアイコンを選択しているのかを分からなくなったときには、操作ダイヤルや表示パネルの表示メニューを視ずに、操作ダイヤルを操作して、基準アイコンをカーソルによって選択させることができるようにすることが必要であると考えた。
【０００９】
これは、使用者が、基準アイコンから希望のアイコンまでカーソルを移動させるのに必要な操作ダイヤルの操作量さえ覚えておけば、操作ダイヤルや表示パネルの表示メニューを視ずに、希望のアイコンをカーソルにより選択させることができるからである。
【００１０】
本発明は、操作メニューに含まれる各アイコンのうち基準アイコンを予め決めておき、操作部や表示部を視ずに、操作部を操作して、基準アイコンをカーソルによって選択させることを可能にする操作メニュー表示装置を提供することを目的とする。
【００１１】
【課題を解決するための手段】
本発明は、上記目的を達成するために、請求項１に記載の発明では、表示部と、使用者により操作される操作部とを有し、各選択項目をそれぞれ示す各アイコンを含む操作メニューを表示部に表示させるとともに、この表示させる操作メニュー上にてカーソルを表示させ、かつ、操作部への操作に基づき、各アイコンのうちいずれかのアイコンをカーソルにより選択させる選択表示手段と、を有する操作メニュー表示装置であって、操作部に振動を与える振動付与部と、操作部への操作に基づきカーソルにより各アイコンのうち予め基準として決められている基準アイコンを選択させた場合には、操作部を振動させるように振動付与部を制御する振動制御手段と、を有することを特徴とする。
【００１２】
これにより、操作部への操作に基づきカーソルにより基準アイコンを選択させた場合には、操作部が振動するので、使用者に対して、カーソルが基準アイコンを選択していることを認識させることができる。したがって、使用者に対して、操作部や表示部を視ずに、操作部を操作して、基準アイコンをカーソルによって選択させることが可能になる。
【００１３】
さらに、請求項２に記載の発明においては、音を出力する音出力手段と、操作部への操作に基づき、カーソルにより基準アイコンを選択させた場合には、音を出力させるように音出力手段を制御する音出力制御手段と、を有することを特徴とする。
【００１４】
これにより、操作部への操作に基づきカーソルにより基準アイコンを選択させた場合には、操作部が振動するだけでなく、音をも出力させることになり、使用者に対して、カーソルが基準アイコンを選択していることをより確実に認識させることができる。
【００１５】
一方、カーソルにより基準アイコンを選択させていることを使用者に通知するために、操作部を振動させる振動付与部を用いずに、音を出力させる音出力手段だけを用いるようにしてもよい。
【００１６】
具体的には、請求項３に記載の発明においては、表示部と、使用者により操作される操作部とを有し、各選択項目をそれぞれ示す各アイコンを含む操作メニューを表示部に表示させるとともに、この表示させる操作メニュー上にてカーソルを表示させ、かつ、操作部への操作に基づき、各アイコンのうちいずれかのアイコンをカーソルにより選択させる選択表示手段と、を有する操作メニュー表示装置であって、音を出力する音出力手段と、操作部への操作に基づき、操作部への操作に基づきカーソルにより各アイコンのうち予め基準として決められている基準アイコンを選択させた場合には、音を出力させるように音出力手段を制御する音出力制御手段と、を有するように構成してもよい。
【００１７】
請求項４に記載の発明では、表示部による操作メニューの表示を開始させる毎に、この表示される操作メニューに含まれる各アイコンのうち基準アイコンをカーソルにより自動的に選択させるようにする初期表示制御手段を有することを特徴とする。
【００１８】
これにより、基準アイコンから希望のアイコンまでカーソルを移動させるのに必要な操作部の操作量さえ覚えておけば、表示部による操作メニューの表示の開始直後から、操作部や表示部を視ずに、操作部を操作して、希望のアイコンをカーソルによって選択させることが可能になる。
【００１９】
因みに、上記各手段の括弧内の符号は、後述する実施形態に記載の具体的手段との対応関係を示す一例である。
【００２０】
【発明の実施の形態】
図１に本発明に係る車載用操作メニュー表示装置の実施形態の構成を示す。操作メニュー表示装置は、図１に示すように、操作部（操作デバイス）１０、制御部２０、及び表示部３０から構成されている。
【００２１】
操作部１０は、自動車のステアリングの近傍に配置されたもので、後述するように使用者により希望の選択項目を選択させるために回転操作されるとともに、使用者による回転操作量を検出する。なお、操作部１０の具体的な構成については後述する。
【００２２】
制御部２０は、マイクロコンピュータ、メモリなどから構成されたもので、ナビゲーションＥＣＵ４０から出力されるナビ信号に基づき、現在地から目的地までの道路地図を表示部３０に表示させ、かつこの表示道路地図上に最適経路を表示させるための処理、ブラインド操作で操作部１０を操作してカーソルにより基準アイコンを選択させるための処理などを実行する。
【００２３】
なお、基準アイコンとは、カーソル３１のホームポジションを示すアイコンで、使用者の操作する上の基準として予め決められている。また、基準アイコンは、使用者の操作に応じて変更しても良い。
【００２４】
表示部３０は、自動車の計器盤の略中央部に配置されたもので、液晶表示パネル、プラズマディスプレイなどから構成されており、表示部３０は、後述するように、ナビゲーション、空調装置、オーディオ装置などの車載装置の操作メニューなどを表示する。
【００２５】
ナビゲーションＥＣＵ４０は、使用者に対して現在地から目的地まで経路案内するために、現在地から目的地までの最適経路を設定するとともに、この設定される最適経路と現在地から目的地までの道路地図を示すナビ信号を制御部２０に出力する。
【００２６】
エアコンＥＣＵ４２は、車室内の空気調和を図るために、ヒータコア、エバポレータ、送風機などを有するエアコンユニットを制御して、エアコンユニットから車室内に吹き出される空気温度、送風量を調節する。
【００２７】
オーディオＥＣＵ４４は、ＣＤ、ＭＤなどのディスクから音楽データを読み取り、この音楽データに基づき、音楽を示す音声をスピーカから出力させたり、複数のラジオ放送局のうちいずれかのラジオ放送局から受信される受信信号に基づき、放送内容を示す音声をスピーカから出力させる。
【００２８】
次に、操作部１０の具体的な構成を図２を用いて説明する。図２は操作部１０の構成を示す。
【００２９】
操作部１０は、図２に示すように、操作ノブ１、回転軸２、回転ギア３、４、エンコーダ５及び直流モータ６から構成されており、操作ノブ１は、円板状に形成されており、操作ノブ１には、回転軸２の一端が圧入固定されている。また、回転軸２の他端は直流モータ６に繋がっている。
【００３０】
ここで、直流モータ６は制御部２０により駆動されるものある。このため、制御部２０により直流モータ６を回転させることにより、回転軸２を介して、操作ノブ１を回転させることができる。
【００３１】
一方、回転ギア３には回転軸２がその中間位置にて圧入固定されており、回転ギア３には回転ギア４が噛み合っており、回転ギア４には、エンコーダ５の出力軸５ａが圧入固定されている。このことにより、操作ノブ１の回転が、回転軸２、回転ギア３、４および出力軸５ａを介してエンコーダ５に伝わることになる。
【００３２】
次にエンコーダ５の構成について図３〜図６を用いて説明する。図３は、エンコーダ５の構成を示す図である。
【００３３】
エンコーダ５は、そのケース内において円板５０を内蔵しており、この円板５０には、図３に示すように、出力軸５ａに圧入固定されている。また、円板５０には、図４に示すように、その円周方向にて複数の貫通穴５３が設けられており、複数の貫通穴５３は、同一形状で、かつ、同一角度θ間隔で並べられている。また、エンコーダ５のケース内には、図３に示すように、赤外線ダイオード５１およびフォトトランジスタ５２が内蔵されており、赤外線ダイオード５１およびフォトトランジスタ５２は、円板５０の貫通穴５３を挟むように配置されている。
【００３４】
赤外線ダイオード５１は、図５に示すように、バッテリから制限抵抗素子Ｒ１を介して給電されて赤外線を出力する。フォトトランジスタ５２は、バッテリから給電されたものであって、断続的に赤外線を受けてスイッチングしてコレクタ端子からパルス出力を出力するトランジスタである。
【００３５】
ここで、円板５０が回転することにより、フォトトランジスタ５２の受光面には、円板５０の貫通穴５３と非貫通穴部５４とが交互に対向することになる。非貫通穴部５４は、図４に示すように、円周方向において２つの貫通穴５３の間の部位を示す。
【００３６】
このようにフォトトランジスタ５２の受光面に貫通穴５３と非貫通穴部５４とが交互に対向すると、赤外線ダイオード５１からの赤外線を受光面が貫通穴５３を通して受光することと、非貫通穴部５４により赤外線を遮光することとが、交互に繰り返されることになる。このことにより、フォトトランジスタ５２の受光面には断続的な赤外線が入射されるので、図６に示すように、コレクタ端子からパルス出力が出力されることになる。
【００３７】
ここで、上述したように各貫通穴５３は、同一形状で、かつ、同一角度θ間隔で並べられているので、円板５０が所定角度回転する毎にフォトトランジスタ５２のコレクタ端子から１つのパルスが出力される。このため、コレクタ端子から出力されるパルス数をカウントすることにより、円板５０の回転量、ひいては操作ノブ１の操作回転量を求めることができる。
【００３８】
次に、本実施形態の作動について図７、図８を用いて説明する。図７は、操作ノブ１の操作検出処理を示すフローチャートであり、操作検出処理は、操作メニューを表示部３０に表示させるための処理と時分割で繰り返し行われる。以下、ＡＭラジオの操作メニュー（図７参照）を表示させるメニュー表示処理と時分割で操作検出処理を実行する具体例について説明する。
【００３９】
先ず、操作検出処理に先だってメニュー表示処理について説明すると、制御部２０は、図７に示すように、××第１放送、××第２放送、○△放送、○○ラジオ、△△ラジオといった選択項目を示すアイコンＡ１〜Ａ５を含む操作メニューを表示部３０に表示させることを開始させる。
【００４０】
そして、表示部３０による操作メニューの表示を開始させる毎に、この表示される操作メニューに含まれる各アイコンＡ１〜Ａ５のうち基準アイコンをカーソル３１によって自動的に選択させるようにしている（初期表示制御手段）。なお、本実施形態では、基準アイコンとしてアイコンＡ１を予め決めておいた例を示している。
【００４１】
次に、制御部２０による操作検出処理について説明する。制御部２０は、図７に示すフローチャートに従って、メモリに記憶されたコンピュータプログラムを実行する。
【００４２】
先ず、操作部１０のエンコーダ５のフォトトランジスタ５２から出力を読み込み（Ｓ１１０）、フォトトランジスタ５２から出力されるパルス数をカウントすることにより、円板５０の回転量を求める。そして、この回転量に基づき、カーソル３１を表示すべき位置（以下、カーソル位置という）を算出する（Ｓ１２０）。
【００４３】
例えば、円板５０が時計回りに７２度ずつ回転する毎に現在のカーソル位置から次のカーソル位置に順次変更する。例えば、最初にカーソル位置が××第１放送のアイコンＡ１を選択している場合には、円板５０が時計回りに７２度ずつ回転する毎に、カーソル位置がアイコンＡ１（××第１放送）→アイコンＡ２（××第２放送）→アイコンＡ３（○△放送）→アイコンＡ４（○○ラジオ）→アイコンＡ５（△△ラジオ）→…の順で変更する。
【００４４】
以上のようにカーソル位置が求められると、カーソル位置が、このカーソル位置の算出以前とは別の位置に変更したか否かを判定する（Ｓ１３０）。例えば、円板５０が時計回りに７２度以上回転した場合には、カーソル位置がこの算出以前とは別の位置に変更したとしてＹＥＳと判定し、操作ノブ１を介して使用者の指先にクリック感を付与する（Ｓ１４０）。
【００４５】
具体的には、操作ノブ１を反時計回りに回転させるように直流モータ６に一定期間だけ給電する。このため、操作ノブ１には反時計回りに回転力が発生するものの、回転力は、使用者の指が操作ノブ１を摘む力に比べて遙かに小さくなっている。
【００４６】
このため、使用者の指が操作ノブ１を摘む力を抵抗して、操作ノブ１が反時計回りに回転することが抑制されるので、使用者の指に対して単に反時計回りの回転力、つまりクリック感を感じさせるだけとなる。このことにより、円板５０が時計回りに７２度回転する毎に、操作ノブ１を介して使用者の指先にクリック感を付与することになる。したがって、使用者に対して、カーソル位置が別の位置に変更したことをクリック感の付与により知らせることができる。
【００４７】
さらに、上述のように、操作ノブ１を介して使用者の指先にクリック感を付与した後、この求められたカーソル位置にてカーソル３１を表示させる。このことにより、アイコンＡ１〜Ａ５のうち希望のラジオ放送局を示すアイコンをカーソル３１により選択させることになる（選択表示手段）。
【００４８】
このように、操作ノブ１への操作に基づいて、各アイコンＡ１〜Ａ５のうち希望のアイコンを選択させるようにカーソル３１を表示する場合には、カーソル３１により選択されるアイコン（以下、選択アイコンという）を示す選択信号が、オーディオＥＣＵ４４に出力されている。これ伴い、オーディオＥＣＵ４４は、複数のラジオ放送局のうち、選択アイコンに該当するラジオ放送局から受信される受信信号に基づき、放送内容を示す音声をスピーカから出力させることになる。
【００４９】
また、上述のようにカーソル位置が求められ、この求められたカーソル位置が基準アイコンの位置、つまりホームポジションに変更した場合には、Ｓ１５０でＹＥＳと判定し、操作ノブ１を振動させる（Ｓ１６０）。具体的には、直流モータ６に対して反時計回りの回転と時計回りの回転とを一定期間ずつ交互に行わせる。このため、操作ノブ１が反時計回りの回転と時計回りの回転とを一定期間ずつ交互に行う。このため、使用者の指先に対して、操作ノブ１の振動を付与することができる。
【００５０】
以下、本実施形態の作用効果につき説明する。すなわち、操作ノブ１に振動を与える直流モータ６（振動付与部）を備え、制御部２０が、操作ノブ１への操作に基づきカーソル３１により各アイコンＡ１〜Ａ５のうち予め基準として決められている基準アイコンを選択させた場合には、操作ノブ１を振動させるように直流モータ６を制御する（振動制御手段）。
【００５１】
これにより、操作ノブ１を回転操作させてカーソル３１により基準アイコンを選択させた場合には、操作ノブ１が振動するので、使用者に対して、カーソル３１が基準アイコンを選択していることを認識させることができる。したがって、使用者に対して、操作ノブ１や表示部３０を視ずに、操作ノブ１を回転操作して、基準アイコンをカーソル３１によって選択させることが可能になる。
【００５２】
さらに、カーソル位置が別の位置に変更する毎にクリック感を使用者の指先に付与させるため、使用者がクリック感を感じた回数を数えることにより、使用者にとって操作ノブ１の操作回転量が容易に分かる。したがって、基準アイコンから希望のアイコンまでカーソル３１を移動させるのに必要な操作ノブ１の回転操作量、つまり、「クリック感を感じる回数」さえ覚えておけば、操作ノブ１や表示部３０の表示メニューを視ずに、希望のアイコンをカーソル３１により選択させることができる。
【００５３】
特に、表示部３０による操作メニューの表示を開始させる毎に、この表示される操作メニューに含まれる各アイコンのうち基準アイコンをカーソル３１により自動的に選択させるようにしている。
【００５４】
これにより、基準アイコンから希望のアイコンまでカーソル３１を移動させるのに必要な操作ノブ１の回転操作量さえ覚えておけば、表示部３０による操作メニューの表示の開始直後から、操作部１０や表示部３０を視ずに、操作ノブ１を回転操作して、希望のアイコンをカーソル３１によって選択させることが可能になる。
【００５５】
（その他の実施形態）
上記実施形態では、操作ノブ１を回転操作して基準アイコンがカーソル３１によって選択された場合には、操作ノブ１を振動させて、使用者に対して、カーソル３１が基準アイコンを選択していることを認識させるようにした例について説明したが、これに代えて、音を出力するスピーカ（音出力手段）を備え、制御部２０が、操作ノブ１への操作に基づき、カーソル３１により基準アイコンを選択させた場合には、音を出力させるようにスピーカを制御する音出力制御機能（音出力制御手段）を具備するようにしてもよい。
【００５６】
さらに、これに代えて、カーソル３１が基準アイコンを選択していることを認識させるために、スピーカから音を出力させるとともに、操作ノブ１を振動させるようにしてもよい。これにより、使用者に対して、カーソルが基準アイコンを選択していることをより確実に認識させることができる。
【００５７】
上記実施形態では、操作部として、回転操作される操作ノブ１を有する操作部３０用いた例を示したが、これに代えて、操作棒が前後左右に自在に操作されてこの操作棒の操作方向を示す操作信号を出力するジョィスイック装置や、押下されて両端子間を開閉する常開型スイッチ、或いは常閉型スイッチなどを用いてもよい。
【００５８】
例えば、常開型スイッチ（或いは常閉型スイッチ）の場合には、そのスイッチが一度押下される毎に、現在のカーソル位置から次のカーソル位置に順次変更するようにしておき、常開型スイッチの押下回数により、カーソル位置を求めることが好ましい。
【００５９】
上記実施形態では、円板５０が７２度ずつ回転する毎に現在のカーソル位置から次のカーソル位置に順次変更する例について説明したが、これに限らず、円板５０が一定角度ずつ回転する毎に現在のカーソル位置から次のカーソル位置に順次変更するのであれば、このカーソル位置の変更に用いられる角度としては、７２度以外のその他の角度を用いるようにしてもよい。
【００６０】
上記実施形態では、円板５０が時計周りに一定角度ずつ回転する毎に現在のカーソル位置から次のカーソル位置に順次変更する例について説明したが、これに限らず、円板５０が反時計周りに一定角度ずつ回転する毎に現在のカーソル位置から次のカーソル位置に順次変更するようにしてもよい。
【００６１】
さらに、円板５０が時計周りに一定角度ずつ回転する毎に現在のカーソル位置から所定順番で次のカーソル位置に順次変更し、かつ、円板５０が反時計周りに一定角度ずつ回転する毎に現在のカーソル位置から逆順番（これは所定順番と逆の順番を示す）で次のカーソル位置に順次変更するようにしてもよい。
【００６２】
例えば、最初にカーソル位置が××第１放送のアイコンＡ１を選択している場合には、円板５０が時計回りに一定角度ずつ回転する毎に、カーソル位置がアイコンＡ１（××第１放送）→アイコンＡ２（××第２放送）→アイコンＡ３（○△放送）→アイコンＡ４（○○ラジオ）→アイコンＡ５（△△ラジオ）→…の順で変更し、一方、円板５０が反時計回りに一定角度ずつ回転する毎に、カーソル位置がアイコンＡ１（××第１放送）→アイコンＡ５（△△ラジオ）→アイコンＡ４（○○ラジオ）→アイコンＡ３（○△放送）→アイコンＡ２（××第２放送）→…の順で変更する。
上記実施形態では、操作ノブ１のクリック感の付与や操作ノブ１の振動の付与の為に直流モータ６を制御した例を示したが、これに加えて、直流モータ６に給電して操作ノブ１を回転させるトルクを発生させ、このトルクにより、操作ノブ１を操作するのに必要な操作力を変更するようにしてもよい。
【００６３】
上記実施形態では、操作メニュー表示装置を自動車に搭載した例について説明したが、これに限らず、飛行機や列車の操作装置、各種の産業用機械などの操作装置に適用されるようにしてもよい。
【図面の簡単な説明】
【図１】本発明に係る車載用操作メニュー表示装置の一実施形態の概略構成を示すブロック図である。
【図２】図１の操作部の構成を示す図である。
【図３】図２のエンコーダの構成を示す図である。
【図４】図３の回転板を示す図である。
【図５】図２のエンコーダの電気回路構成を示す図である。
【図６】図２のエンコーダのパルス出力を示すタイミングチャートである。
【図７】図１の制御部の処理を示すフローチャートである。
【図８】操作メニューの表示を示す図である。
【符号の説明】
１…操作ノブ、６…直流モータ、１０…操作部、
２０…制御部、３０…表示部、３１…カーソル。
【図１】
2004227387.tif 000003
【図２】
2004227387.tif 000004
【図３】
2004227387.tif 000005
【図４】
2004227387.tif 000006
【図５】
2004227387.tif 000007
【図６】
2004227387.tif 000008
【図７】
2004227387.tif 000009
【図８】
2004227387.tif 000010